(57)【要約】【課題】投票データをスムーズに短時間で入力でき、ファンサービスに寄与できる発券機を提供する。【解決手段】賭け式、組番、購入金額の各項目に対応する選択キー群１２，１３，１４を有する投票データ入力用のキーボード４を備え、キーボード４から入力される投票データに基づいて投票券を発券する発券機１において、キーボード４の各選択キーに対応して設けられ、第１、第２の異なる光を選択的に発光可能な発光手段２６と、投票データの入力手順に従って、入力すべき項目に対応する選択キー群の全ての発光手段２６を消光状態から第１の光を発光するように駆動した後、当該選択キー群の任意の選択キーの操作に基づいて、操作された選択キーに対応する発光手段２６を第２の光を発光するように駆動すると共に、他の選択キーに対応する発光手段２６を消光させるように制御する制御手段３１〜３４とを有する。【選択図】        図１
2005025607.tif 000002
【特許請求の範囲】
【請求項１】
少なくとも賭け式、組番、購入金額の各項目に対応する選択キー群を有する投票データ入力用のキーボードを備え、このキーボードから入力される投票データに基づいて投票券を発券する発券機において、
上記キーボードの各選択キーに対応して設けられ、少なくとも第１および第２の異なる光を選択的に発光可能な発光手段と、
投票データの入力手順に従って、入力すべき項目に対応する選択キー群の全ての発光手段を消光状態から第１の光を発光するように駆動した後、当該選択キー群の任意の選択キーの操作に基づいて、操作された選択キーに対応する発光手段を第２の光を発光するように駆動すると共に、他の選択キーに対応する発光手段を消光させるように制御する制御手段と、
を有することを特徴とする発券機。
【請求項２】
上記キーボードは、さらに、入力中の投票データの取消キー、投入された金額の返却／精算キー、投票券の発行キーを有すると共に、これらキーにそれぞれ対応し、上記第１および第２の光とは異なる第３の光を発光可能な発光素子を有し、
上記制御手段は、投票データの入力手順に従って、上記取消キー、上記返却／精算キー、上記発行キーの各々を、当該キーが操作可能な状態にあるときに、対応する上記発光素子を駆動して第３の光を発光させるよう構成したことを特徴とする請求項１に記載の発券機。
【請求項３】
上記各発光手段を２色発光ＬＥＤをもって構成して、対応するキーの近傍に配置したことを特徴とする請求項１または２に記載の発券機。
【請求項４】
上記各発光素子を一色発光ＬＥＤをもって構成して、対応するキーの近傍に配置したことを特徴とする請求項２または３に記載の発券機。
【請求項５】
上記各発光手段および上記各発光素子を３色発光ＬＥＤをもって構成して、対応するキーの近傍に配置したことを特徴とする請求項２に記載の発券機。
【発明の詳細な説明】
【０００１】
【発明の属する技術分野】
本発明は、競輪、競馬、競艇、オート等の公営競技における投票券を発券する発券機に関するものである。
【０００２】
【従来の技術】
従来の発券機として、賭け式、組番、購入金額の各項目に対応する選択キー群を有する投票データ入力用のキーボードを備え、このキーボードから入力される投票データに基づいて投票券を発券するものが知られている。
【０００３】
この種の従来の発券機においては、キーボード上に、各キーに対応してＬＥＤ等の発光素子を設け、キー押下によって対応する発光素子を発光させることで、ファンや窓口従事員等の操作者に、入力した投票データを認識させるようにしている。
【０００４】
【発明が解決しようとする課題】
しかしながら、従来の発券機においては、単に、押下したキーに対応する発光素子を発光させるのみで、押下されていないキーの発光素子は全て消光状態としており、投票データの入力手順が明確になっていない。
【０００５】
このため、例えば不慣れなファンにとっては、選択する項目や順序に手間取って、所要の投票データを入力するのに時間がかかるという問題があり、その結果、後続のファンにイライラ感を与えたり、特に投票締め切り時間が迫っている場合には、入力途中で締め切り時間となって、所望の投票券を購入できなかったりする場合がある。
【０００６】
したがって、かかる点に鑑みてなされた本発明の目的は、投票データをスムーズに短時間で入力でき、ファンサービスに寄与できる発券機を提供することにある。
【０００７】
【課題を解決するための手段】
上記目的を達成する請求項１に係る発明は、少なくとも賭け式、組番、購入金額の各項目に対応する選択キー群を有する投票データ入力用のキーボードを備え、このキーボードから入力される投票データに基づいて投票券を発券する発券機において、
上記キーボードの各選択キーに対応して設けられ、少なくとも第１および第２の異なる光を選択的に発光可能な発光手段と、
投票データの入力手順に従って、入力すべき項目に対応する選択キー群の全ての発光手段を消光状態から第１の光を発光するように駆動した後、当該選択キー群の任意の選択キーの操作に基づいて、操作された選択キーに対応する発光手段を第２の光を発光するように駆動すると共に、他の選択キーに対応する発光手段を消光させるように制御する制御手段と、
を有することを特徴とするものである。
【０００８】
請求項１の発明によると、投票データの入力手順に従って、入力すべき項目に対応する選択キー群の全ての発光手段が消光状態から第１の光の発光状態になるので、ファン等の操作者はどの項目の投票データを入力すべきなのかを容易に認識することが可能になると共に、その項目の任意の選択キーが押下されると、その押下に基づいて対応する発光手段が第１の光の発光状態から第２の光の発光状態になると共に、当該項目の他の選択キーに対応する発光手段が消光状態となるので、押下した選択キーを容易に認識させることが可能となり、投票データをスムーズに短時間で入力でき、ファンサービスに寄与することが可能となる。なお、本発明において、制御手段による発光手段の発光駆動は、第１の光および第２の光の双方を連続発光または点滅発光させる場合、一方を連続発光、他方を点滅発光させる場合が含まれる。
【０００９】
請求項２に係る発明は、請求項１に記載の発券機において、上記キーボードは、さらに、入力中の投票データの取消キー、投入された金額の返却／精算キー、投票券の発行キーを有すると共に、これらキーにそれぞれ対応し、上記第１および第２の光とは異なる第３の光を発光可能な発光素子を有し、
上記制御手段は、投票データの入力手順に従って、上記取消キー、上記返却／精算キー、上記発行キーの各々を、当該キーが操作可能な状態にあるときに、対応する上記発光素子を駆動して第３の光を発光させるよう構成したことを特徴とするものである。
【００１０】
請求項２の発明によると、取消キー、返却／精算キー、発行キーの各々は、操作可能な状態にあるときに、対応する発光素子が第３の光の発光状態となるので、操作者に対してそれらのキーが操作可能であるか否かを容易に認識させることが可能となる。なお、本発明において、制御手段による発光素子の発光駆動は、第３の光を連続発光させる場合、点滅発光させる場合が含まれる。
【００１１】
請求項３に係る発明は、請求項１または２に記載の発券機において、上記各発光手段を２色発光ＬＥＤをもって構成して、対応するキーの近傍に配置したことを特徴とするものである。
【００１２】
請求項３の発明によると、各発光手段を簡単に設置することが可能になると共に、全体を安価に構成することが可能となる。
【００１３】
請求項４に係る発明は、請求項２または３に記載の発券機において、上記各発光素子を一色発光ＬＥＤをもって構成して、対応するキーの近傍に配置したことを特徴とするものである。
【００１４】
請求項４の発明によると、各発光素子を簡単に設置することが可能になると共に、全体を安価に構成することが可能となる。
【００１５】
請求項５に係る発明は、請求項２に記載の発券機において、上記各発光手段および上記各発光素子を３色発光ＬＥＤをもって構成して、対応するキーの近傍に配置したことを特徴とするものである。
【００１６】
請求項５の発明によると、各発光手段および各発光素子が、それぞれ３色発光ＬＥＤからなるので、各発光手段および各発光素子として異なるＬＥＤを用いる場合と比較して、より簡単に組み立てることが可能となる。
【００１７】
【発明の実施の形態】
以下、本発明による発券機の一実施の形態について図面を参照して説明する。
【００１８】
図１は、本実施の形態による発券機の外観斜視図を示すものである。この発券機１は、投票券を購入するための現金を投入したり、投入された現金を返却したり、投入金額から購入金額を精算して現金を返却したりするための現金投入／返却口２と、投票券を発行するための発行口３と、投票券の発行に必要な投票データ等を入力するためのキーボード４とを有している。
【００１９】
キーボード４には、図２に拡大平面図を示すように、現在の発売レース番号を表示し、中止状態では消光するレース表示部１１と、投入金額を表示し、投票券発行後は残金額を表示し、さらに中止状態では消光する投入金額表示部１２と、賭け式を選択する賭け式選択キー群１３と、組番を入力する組番選択キー群１４と、一組あたりの購入金額を入力する購入金額選択キー群１５と、入力中のデータを取り消すための取消キー１６と、投入した現金を返却させたり、投票券発行後に精算させたりするための返却／精算キー１７と、投票券を発行するための発行キー１８とを設ける。
【００２０】
本実施の形態では、賭け式選択キー群１３として、３連勝単式（３連単）、３連勝複式（３連複）、番号連勝単式（２連単）、番号連勝複式（２連複）、枠番連勝単式（２枠単）、枠番連勝複式（２枠複）、拡大連勝複式（ワイド）の７賭け式に対応する７個の賭け式選択キー２１−１〜２１−７を設ける。
【００２１】
また、組番選択キー群１４としては、１着の番号を選択する１番〜９番の番号選択キー２２−１〜２２−９と、２着の番号を選択する１番〜９番の番号選択キー２３−１〜２３−９と、３着の番号を選択する１番〜９番の番号選択キー２４−１〜２４−９とを設ける。
【００２２】
また、購入金額選択キー群１５としては、１００円、２００円、３００円、５００円、１０００円の５種の購入金額に対応する５個の購入金額選択キー２５−１〜２５−５を設ける。
【００２３】
さらに、本実施の形態では、賭け式選択キー２１−１〜２１−７、番号選択キー２２−１〜２２−９、２３−１〜２３−９、２４−１〜２４−９、購入金額選択キー２５−１〜２５−５の各々に対応して、その近傍（各キーの右上部）に３色の各色を選択的に発光可能なＬＥＤ２６を設けると共に、取消キー１６、返却／精算キー１７、発行キー１８の各々に対応して、その近傍に同様に３色の各色を選択的に発光可能なＬＥＤ２６を設ける。すなわち、本実施の形態では、発光手段および発光素子を、それぞれ３色発光可能なＬＥＤ２６をもって構成する。なお、各ＬＥＤ２６の発光色は、例えば、緑（第１の光）、赤（第２の光）、橙（第３の光）の各色とする。
【００２４】
図３は、キーボード４の制御系の要部構成を示すブロック図である。キーボード４には、各キーの入力制御部３１、ＬＥＤ制御部３２および通信制御部３３を設け、キー操作によるキー入力データを入力制御部３１および通信制御部３３を経て発券機１のメインコントローラ３４に供給する。
【００２５】
また、メインコントローラ３４は、投票データの入力手順およびキーボード４からのキー入力データに基づいて、通信制御部３３を経てＬＥＤ制御部３２にＬＥＤ制御データを供給し、このＬＥＤ制御データに基づいて各キーのＬＥＤ２６の駆動を制御するようにする。すなわち、入力制御部３１、ＬＥＤ制御部３２およびメインコントローラ３４によりＬＥＤ２６の駆動を制御する制御部を構成する。
【００２６】
以下、本実施の形態に係る発券機１の要部の動作について、図４および図５に示すフローチャートを参照しながら説明する。
【００２７】
先ず、全てのＬＥＤ２６を消光させた状態で（ステップＳ１）、現金投入／返却口２への現金投入を待つ。その後、現金が投入されたら（ステップＳ２）、予め定めた投票データの入力手順に従って、先ず、賭け式選択キー群１３の全てのＬＥＤ２６を緑に発光させると共に、返却／精算キー１７のＬＥＤ２６を橙に発光させる（ステップＳ３）。
【００２８】
その後、発光させたＬＥＤ２６に対応するキーの押下を待ち（ステップＳ４）、賭け式選択キーが押下されたら（ステップＳ５）、押下された賭け式選択キーのＬＥＤ２６を緑から赤色に発光させると共に、他の賭け式選択キーのＬＥＤ２６および返却／精算キー１７のＬＥＤ２６を消光させ、同時に、次の投票データの入力手順である組番選択キー群１４の全てのＬＥＤ２６を緑に発光させると共に、取消キー１６のＬＥＤ２６を橙に発光させる（ステップＳ６）。
【００２９】
その後、緑および橙に発光させたＬＥＤ２６に対応するキーの押下を待ち（ステップＳ７）、番号選択キーが押下されたら（ステップＳ８）、押下された番号選択キーのＬＥＤ２６を緑から赤色に発光させる（ステップＳ９）。このステップＳ７〜ステップＳ９を購入可能な組番が選択されるまで繰り返し（ステップＳ１０）、購入可能な組番が選択されたら、次の投票データの入力手順である購入金額選択キー群１５の全てのＬＥＤ２６を緑に発光させる（ステップＳ１１）。
【００３０】
その後、購入金額選択キー群１５のキーの押下を待ち（ステップＳ１２）、購入金額選択キーが押下されたら（ステップＳ１３）、押下された購入金額選択キーのＬＥＤ２６を緑から赤色に発光させると共に、他の購入金額選択キーのＬＥＤ２６を消光させ、かつ、組番選択キー群１４の押下されていない番号選択キーのＬＥＤ２６を消光させると共に、発行キー１８のＬＥＤ２６を橙に発光させる（ステップＳ１４）。
【００３１】
その後、橙に点灯しているＬＥＤ２６に対応する取消キー１６または発行キー１８の押下を待ち（ステップＳ１５）、発行キー１８が押下されたら（ステップＳ１６）、発行口３から投票券を発行する（ステップＳ１７）と共に、全てのＬＥＤ２６を消光する（ステップＳ１８）。
【００３２】
その後、残金があるか否かを判定し（ステップＳ１９）、ある場合にはステップＳ３に移行し、ない場合には処理を終了する。
【００３３】
なお、ステップＳ５において、賭け式選択キーが押下されていないときは、返却／精算キー１７が押下されたか否かを判断し（ステップＳ２０）、押下されていないときはステップＳ４に移行し、押下されたときは全てのＬＥＤ２６を消光し（ステップＳ２１）、現金投入／返却口２から残金を支払って（ステップＳ２２）、処理を終了する。
【００３４】
また、ステップＳ８において、番号選択キーが押下されていないときは、取消キー１６が押下されたか否かを判断し（ステップＳ２３）、押下されていないときはステップＳ７に移行し、押下されたときはステップＳ３に移行する。
【００３５】
同様に、ステップＳ１３において、購入金額選択キーが押下されていないときは、取消キー１６が押下されたか否かを判断し（ステップＳ２４）、押下されていないときはステップＳ７に移行し、押下されたときはステップＳ３に移行する。
【００３６】
また、ステップＳ１６において、発行キー１８が押下されていないときは、取消キー１６が押下されたか否かを判断し（ステップＳ２５）、押下されていないときはステップＳ１５に移行し、押下されたときはステップＳ３に移行する。
【００３７】
なお、本実施の形態において、賭け式選択キー群１３、組番選択キー群１４および購入金額選択キー群１５における各選択キーに対応するＬＥＤ２６の緑（第１の光）および赤（第２の光）の発光駆動は、緑および赤の双方を連続発光または点滅発光させてもよいし、一方を連続発光、他方を点滅発光させてもよい。同様に、取消キー１６、返却／精算キー１７、発行キー１８の各々に対応するＬＥＤ２６の橙（第３の光）の発光駆動は、連続発光または点滅発光のいずれでもよい。
【００３８】
以上のように、本実施の形態によれば、賭け式、組番、購入金額の投票データの入力手順に従って、入力すべき項目に対応する選択キー群の全てのＬＥＤ２６を消光状態から緑に発光させるようにしたので、ファン等の操作者にどの項目の投票データを入力すべきなのかを容易に認識させることができると共に、その項目の任意の選択キーを押下することで、対応するＬＥＤ２６を緑から赤に発光させ、かつ当該項目の他の選択キーに対応するＬＥＤ２６を消光させるようにしたので、押下した選択キーを容易に認識させることができる。したがって、投票データをスムーズに短時間で入力でき、ファンサービスに寄与することができる。
【００３９】
また、取消キー１６、返却／精算キー１７、発行キー１８にそれぞれ対応するＬＥＤ２６は、対応するキーが操作可能な状態にあるときに橙に発光させるようにしたので、操作者に対してそれらのキーが操作可能であるか否かを容易に認識させることができる。
【００４０】
さらに、本実施の形態では、全てのＬＥＤ２６を、緑、赤、橙の各色を選択的に発光可能な３色ＬＥＤをもって構成したので、組み立てを簡単にできる。
【００４１】
なお、本発明は、上記実施の形態にのみ限定されるものではなく、幾多の変形または変更が可能である。例えば、上記実施の形態では、全てのＬＥＤ２６を３色ＬＥＤとしたが、賭け式選択キー群１３、組番選択キー群１４、購入金額選択キー群１５の各選択キーに対応するＬＥＤ２６は、異なる２色、例えば緑と赤とを選択的に発光可能な２色ＬＥＤあるいは２個の独立したＬＥＤをもって構成し、取消キー１６、返却／精算キー１７、発行キー１８にそれぞれ対応するＬＥＤ２６は、上記の２色ＬＥＤや２個のＬＥＤとは異なる色、例えば橙の１色を発光するＬＥＤをもって構成することもできる。
【００４２】
また、異なる２色を選択的に発光可能な発光手段や、この発光手段が発光する色とは異なる色を発光可能な発光素子は、ＬＥＤに限らず、液晶素子、ＥＬ素子、ランプ等を用いて構成することもできるし、各キーをタッチパネル式として、キー自体を上記実施の形態と同様に発光させるようにすることもできる。
【００４３】
さらに、賭け式の種類、番号選択キーの数は、公営競技の種類等に応じて種々変更可能であり、購入金額の種類も、上述した実施の形態に限らず、種々変更可能である。
【００４４】
【発明の効果】
本発明によれば、キーボードの各選択キーに対応して、少なくとも第１および第２の異なる光を選択的に発光可能な発光手段を設け、これら発光手段を投票データの入力手順に従って、制御手段により、入力すべき項目に対応する選択キー群の全ての発光手段を消光状態から第１の光を発光させた後、当該選択キー群の任意の選択キーの操作に基づいて、操作された選択キーに対応する発光手段を第２の光を発光するように駆動すると共に、他の選択キーに対応する発光手段を消光させるように制御するようにしたので、投票データをスムーズに短時間で入力でき、ファンサービスに寄与することができる。
【図面の簡単な説明】
【図１】本発明による発券機の一実施の形態を示す外観斜視図である。
【図２】図１に示すキーボードの拡大平面図である。
【図３】同じく、キーボードの制御系の要部構成を示すブロック図である。
【図４】図１に示す発券機の要部の動作を示すフローチャートである。
【図５】同じく、要部の動作を示すフローチャートである。
【符号の説明】
１  発券機
２  現金投入／返却口
３  発行口
４  キーボード
１１  レース表示部
１２  投入金額表示部
１３  賭け式選択キー群
１４  組番選択キー群
１５  購入金額選択キー群
１６  取消キー
１７  返却／精算キー
１８  発行キー
２１−１〜２１−７  賭け式選択キー
２２−１〜２２−９、２３−１〜２３−９、２４−１〜２４−９  番号選択キー
２５−１〜２５−５  購入金額選択キー
２６  ＬＥＤ
３１  入力制御部
３２  ＬＥＤ制御部
３３  通信制御部
３４  メインコントローラ
【図１】
2005025607.tif 000003
【図２】
2005025607.tif 000004
【図３】
2005025607.tif 000005
【図４】
2005025607.tif 000006
【図５】
2005025607.tif 000007